(57)【要約】【課題】静電気による誤動作などを防止する。【解決手段】ロール紙２を回動自在に支持するホルダ体と、一端４をロール紙２に接離する方向に回動自在に支持し他端５側がロール紙２に当接する蓋部６とを備えたロール紙供給装置１において、蓋部６には、ロール紙２を送り出す送りローラ７と、該送りローラ７を回転駆動する駆動部とを収納してなると共に、送りローラ７はロール紙２の中心より他端５側に配置されてなり、尚かつ駆動部を制御する制御部と、該制御部の近傍に設けられた静電気除去用部材２８，２９とを備える。【選択図】        図２
2005006967.tif 000002
【特許請求の範囲】
【請求項１】
ロール紙を回動自在に支持するホルダ体と、一端を前記ロール紙に接離する方向に回動自在に支持し他端側が前記ロール紙に当接する蓋部とを備えたロール紙供給装置において、前記蓋部には、前記ロール紙を送り出す送りローラと、該送りローラを回転駆動する駆動部とを収納してなると共に、前記送りローラは前記ロール紙の中心より前記他端側に配置されてなり、尚かつ前記駆動部を制御する制御部と、該制御部の近傍に設けられた静電気除去用部材とを備えることを特徴とするロール紙供給装置。
【請求項２】
前記静電気除去用部材は、操作者からの静電気の帯電を防止する第１の静電気除去用部材と、ロール紙からの静電気の帯電を防止する第２の静電気除去用部材とから成ることを特徴とする請求項１記載のロール紙供給装置。
【請求項３】
前記駆動部に供給する電源を前記蓋部に収納して備えることを特徴とする請求項１または２記載のロール紙供給装置。
【請求項４】
前記駆動部は、モータと、該モータの回転を前記送りローラに伝達する減速機構とを備えることを特徴とする請求項１から３までのいずれか記載のロール紙供給装置。
【請求項５】
前記蓋部の他端には送り出された前記ロール紙を切断するカッタが設けられていることを特徴とする請求項１から４までのいずれか記載のロール紙供給装置。
【発明の詳細な説明】
【０００１】
【発明の属する技術分野】
本発明は、ロール紙を回転させて供給するロール紙供給装置に関する。さらに詳述すると、本発明は、トイレットペーパやキッチンペーパなどの薄紙を供給するのに適したロール紙供給装置に関する。
【０００２】
【従来の技術】
この種のロール紙供給装置としては、トイレットペーパを保持する受け皿に駆動ローラを設けて、該ローラをモータで回転させることによりトイレットペーパを回転させて外部に供給するものが開発されている（登録実用新案第３０２４５３７号公報参照）。このロール紙供給装置では、ローラとモータとがギア列で連結されている。モータは制御回路により制御される。
【０００３】
また、その他のロール紙供給装置として、ロールから出たトイレットペーパを一対のローラにより挟み、該ローラ対をモータで回転させることによりトイレットペーパを引き出して外部に供給するものが開発されている（特公平６−５９２６８号公報参照）。このロール紙供給装置では、ローラとモータとがベルトやギア列で連結されている。また、モータは制御回路により制御される。
【０００４】
ところで、この種のロール紙供給装置では、各種の原因により静電気が流れてしまうことがある。例えば、使用者の着衣の摩擦による使用者への帯電、使用者と便座カバーとの摩擦による使用者への帯電、雰囲気中のイオンによる使用者への帯電、帯電したロール紙に接触することによる使用者への帯電などにより静電気が使用者に帯電し、使用者がそのまま操作スイッチなどを操作することによりそこから制御回路に静電気が流れることになる。あるいは、ロール紙と樹脂製のホルダ体や蓋部との摩擦により静電気が発生して、その近傍の制御回路に流れてしまうことがある。
【０００５】
【特許文献１】
登録実用新案第３０２４５３７号
【０００６】
【特許文献２】
特公平６−５９２６８号
【０００７】
【発明が解決しようとする課題】
しかしながら、上述したロール紙供給装置では、制御回路を静電気から保護する装置などが設けられていないので、使用者あるいはロール紙からの静電気が制御回路に流れると悪影響を与えて誤動作や動作停止、暴走あるいは回路の破壊を引き起こすおそれがある。
【０００８】
そこで、本発明は、静電気による誤動作などを防止できるロール紙供給装置を提供することを目的とする。
【０００９】
【課題を解決するための手段】
かかる目的を達成するため、請求項１記載の発明は、ロール紙を回動自在に支持するホルダ体と、一端をロール紙に接離する方向に回動自在に支持し他端側がロール紙に当接する蓋部とを備えたロール紙供給装置において、蓋部には、ロール紙を送り出す送りローラと、該送りローラを回転駆動する駆動部とを収納してなると共に、送りローラはロール紙の中心より他端側に配置されてなり、尚かつ駆動部を制御する制御部と、該制御部の近傍に設けられた静電気除去用部材とを備えるようにしている。
【００１０】
したがって、制御部の近傍に静電気除去用部材が設けられているので、制御部に与えられた静電気を除去して誤動作などを防止することができる。
【００１１】
また、請求項２記載の発明は、請求項１記載のロール紙供給装置において、静電気除去用部材は、操作者からの静電気の帯電を防止する第１の静電気除去用部材と、ロール紙からの静電気の帯電を防止する第２の静電気除去用部材とから成るようにしている。したがって、操作者からの静電気とロール紙からの静電気との両方の静電気からの悪影響を排除することができる。
【００１２】
さらに、請求項３記載の発明は、請求項１または２記載のロール紙供給装置において、駆動部に供給する電源を蓋部に収納して備えるようにしている。したがって、蓋部がより十分に重くなるので、ロール紙へのパッド圧を高めてロール紙の供給をより確実にすると共にロール紙とのスリップを少なくして静電気発生を軽減できる。
【００１３】
また、請求項４記載の発明は、請求項１から３までのいずれか記載のロール紙供給装置において、駆動部は、モータと、該モータの回転を送りローラに伝達する減速機構とを備えるようにしている。したがって、モータの回転が減速機構を経てローラを回転させる。さらに、減速機構を用いることで、モータの最大効率の回転数に合せることができ、消費電流を抑え、電源（電池）の長寿命化が図れる。
【００１４】
請求項５記載の発明は、請求項１から４までのいずれか記載のロール紙供給装置において、蓋部の他端には送り出されたロール紙を切断するカッタが設けられるようにしている。したがって、カッタを利用してロール紙を容易に切断することができる。
【００１５】
【発明の実施の形態】
以下、本発明の構成を図面に示す実施形態に基づいて詳細に説明する。
【００１６】
図１〜図１０に本発明のロール紙供給装置１の実施の一形態を示す。このロール紙供給装置１は、図１に示すようにロール紙２を回動自在に支持するホルダ体３と、一端４をロール紙２に接離する方向に回動自在に支持し他端５側がロール紙２に当接する蓋部６とを備えたものである。そして、蓋部６には、ロール紙２を送り出す送りローラ７と、該送りローラ７を回転駆動する駆動部８とを収納してなる。送りローラ７はロール紙２の中心より他端５側に配置されている。さらに、ロール紙供給装置１は、図２および図３に示すように駆動部８を制御する制御部１９と、該制御部１９の近傍に設けられた静電気除去用部材２８，２９とを備えるようにしている。
【００１７】
電気除去用部材２８，２９は、操作者からの静電気の帯電を防止する第１の静電気除去用部材２８と、ロール紙２からの静電気の帯電を防止する第２の静電気除去用部材２９とから成るようにしている。よって、操作者からの静電気とロール紙２からの静電気との両方の静電気からの悪影響を排除することができる。
【００１８】
このロール紙供給装置１では、蓋部６には、送りローラ７と、駆動部８と、駆動部８を制御する制御部１９と、駆動部８及び制御部１９に供給する電源１２とが収納されている。また、ロール紙２はトイレットペーパとしている。そして、蓋部６は現行の手動式紙巻機の蓋と交換可能な形状としても良い。ホルダ体３は現行の手動式紙巻機のものをそのまま利用することも可能である。
【００１９】
送りローラ７は、本実施形態ではゴム製で、同軸上の２箇所に設けられている。送りローラ７の軸９は蓋部６のケーシングの溝１０により回転可能に支持されている。図６に示すように、送りローラ７の設置位置は、蓋部６の回転中心１１からロール紙２の最小径の上端部（ＡＡ点）までより遠く、かつ蓋部６の回転中心からロール紙２の最小径の他端５側端部（ＢＢ点）までより近い範囲Ｘにしている。これにより、ロール紙２の量によらず常に送りローラ７がロール紙２に接触することができる。しかも、均等な圧力で接触するので搬送力を一定にすることができる。なお、送りローラ７は、ゴム製に限定されるものではなく、例えば、セラミックローラ、凹凸付き金属ローラ等を用いても良く、ロール紙２を確実に送り出すことができれば良い。
【００２０】
電源１２としては乾電池を使用している。よって、蓋部６がより十分に重くなるので、ロール紙２へのパッド圧を高めてロール紙２の供給をより確実にできる。蓋部６には、電源１２を収容するための電池ボックス３０が形成されている。
【００２１】
駆動部８の減速機構１４としては多段の減速ギアを使用している。この減速機構１４は、モータ１３のピニオン１５と送りローラ７に設けられたピニオン１６とをギア列により連結している。図中、符号２０はギア列を抑えるための地板である。なお、図４に示す符号１５’は、ピニオン１５と同一のものであり、ワンウェイクラッチ１７との関係をわかり易くするために示したものである。
【００２２】
このギア列の中には、図４に示すように駆動用モータ１３の回転を送りローラ７に伝達するワンウェイクラッチ１７を用いている。このワンウェイクラッチ１７は、図８に示すようにラチェット３１とラチェットギア３２とから成り、これらラチェット３１とラチェットギア３２は蓋部６に設けられた軸１００に回転自在に配置されている。なお、図４に示すとおり、ラチェット３１には、出力ギア１７３がこのラチェット３１と一体的に設けられ、所定方向の回転を減速機構１４に伝達している。
【００２３】
ラチェット３１には、複数の弾性腕部３１ａ（本実施形態では３本）と、各弾性腕部３１ａの先端に係合歯３１ｂとが形成され、ラチェットギア３２には、係合歯３１ｂが弾撥的に係合する凹部３２ｂを有する係合部３２ａが形成されている。
【００２４】
そして、ワンウェイクラッチ１７は、モータ１３の駆動を送りローラ７に伝達する場合は、モータ１３の回転が、ピニオン１５を介してラチェットギア３１に伝達され、さらに、この回転が、係合部３２ａの凹部３２ｂに係合しているラチェット３１の係合歯３１ｂに伝達される。そして、ラチェット３１の回転は、出力ギア１７３に伝達され、その後に配置された減速機構１４に順に回転伝達されている。
【００２５】
一方、モータ１３の停止している場合、すなわち、ロール紙２を手動で引っ張って送りローラ７を回転させたときには、係合歯３１ｂがその弾性腕部３１ａの弾性作用により、凹部３２ｂから外れるので、送りローラ７からの回転がラチェットギア３２側には伝達されない。すなわち、モータ１３にその回転が伝達されないので、モータ１３の持つディテントルクの影響を受けることがないので、送りローラ７は簡単に回転することができる。これにより、電源を入れてないときでも手動でロール紙２を容易に引き出すことができる。
【００２６】
本実施形態では、図４に示すとおり、ワンウェイクラッチ１７はモータ１３から送りローラ７までのギア列の中で最もモータ１３側に設けられている。このため、手動操作時には多くのギアを回転させる必要があるのでやや大きなトルクが掛かるが、モータ１３の駆動時にはワンウェイクラッチ１７に掛かる力は小さくなるので耐力の小さいものを採用することができる。
【００２７】
また、図３に示すように、減速機構１４のギア列は横方向に並べて配置している。これにより、蓋部６が高くなってしまうことを防止できる。
【００２８】
さらに、蓋部６の他端５には、送り出されたロール紙２を切断するカッタ１８が設けられている。このカッタ１８はゴム製としている。よって、カッタを利用してロール紙を容易に切断することができる。
【００２９】
そして、制御部１９は、図５に示すように、少なくとも２つの第１、第２スイッチ２１，２２と、第１、第２スイッチ２１，２２のどちらかのスイッチ２１，２２のオンによって実行される動作の動作時間を設定するタイマとしての第１タイマ回路２３，第２タイマ回路２４と、第１、第２スイッチ２１，２２両者がオンした場合に動作するＡＮＤゲート２５と、第１タイマ回路２３，第２タイマ回路２４またはＡＮＤゲート２５からの出力信号に基づき駆動部８としての駆動用モータ１３を制御する制御回路２６とを有している。第１スイッチ２１のみがオンした場合にはロール紙２を所定の長さだけ送り出し、第２スイッチ２２のみがオンした場合には第１スイッチ２１のオン時とは別の所定の長さ、本実施形態ではより短い長さのロール紙２を送り出し、第１、第２スイッチ２１，２２がオンした場合には上記した長さ以外の長さを送り出すようにしている。本実施形態では、第１スイッチ２１および第２スイッチ２２をオンしている間はロール紙２を連続搬送するようにしている。また、制御部１９には電源１２からの電圧を制御する定電圧回路２７を備えている。
【００３０】
第１の静電気除去用部材２８は操作者による静電気の帯電が制御回路２６に悪影響を与えるのを防止するもので、第１スイッチ２１および第２スイッチ２２の各側部に設けられた線ばねから成る。この静電気除去用部材２８は制御部１９あるいは電源１２のＧＮＤに基板への直付けにより接地されている。
【００３１】
各スイッチ２１，２２の上方には、図９に示すように保護シート３６が設けられている。保護シート３６は樹脂製のフィルムである。使用者は、保護シート３６を上方から押し下げて変形させることにより（図中、二点鎖線）、各スイッチ２１，２２を押し下げることができる。第１の静電気除去用部材２８は各スイッチ２１，２２より僅かに高く設けられている。これにより、保護シート３６が押し下げられたときにスイッチの操作感を損ねることなく第１の静電気除去用部材２８に接触される。使用者からの静電気は抵抗の小さい第１の静電気除去用部材２８に流れ第１の静電気除去用部材２８が操作者からの静電気に対する避雷針として作用するので、制御部１９が静電気により誤動作を起こすことを防止できる。
【００３２】
また、第２の静電気除去用部材２９はロール紙２から発生する静電気の帯電が制御回路２６に悪影響を与えるのを防止するもので、蓋部６の下部からロール紙２に向けて設けられた線ばねから成る。この静電気除去用部材２９も制御部１９のＧＮＤに接地されている。
【００３３】
第２の静電気除去用部材２９は、図１０に示すようにロール紙２に向けて突出した接触部３３と、制御部１９のＧＮＤに連結される接続部３４とを備えている。接触部３３はロール紙２に対して触れるか触れないかの程度に突出している。接触部３３の周囲は蓋部６のケーシングに形成されたリブ３５により囲われている。よって、接触部３３がロール紙２に引っ掛かって変形してしまうことを防止できる。ロール紙２からの静電気は第２の静電気除去用部材２９に流れ第２の静電気除去用部材２９がロール紙２からの静電気に対する避雷針として作用するので、制御部１９が静電気により誤動作を起こすことを防止できる。
【００３４】
上述したロール紙供給装置１の動作の一例を説明する。
【００３５】
ホルダ体３にロール紙２をセットして、蓋部６をロール紙２に乗せる。
【００３６】
使用者が例えば第１スイッチ２１をオンする。これにより、図７に示すように、第１タイマ回路２３が作動して所定時間だけモータ１３が駆動される（図中、長モード）。また、使用者が第２スイッチ２２をオンした場合は、第２タイマ回路２４が作動して第１タイマ回路２３より短い所定時間だけモータ１３が駆動される（図中、短モード）。これら、長モードおよび短モードでは、いずれかのスイッチ２１，２２のオンにより第１タイマ回路２３，第２タイマ回路２４がオンされるので、スイッチ２１，２２をオフしてもモータ１３は所定時間だけ駆動する。
【００３７】
また、使用者が両スイッチ２１，２２をオンすると連続モードとなって、押してる間だけモータ１３が駆動される。このとき、使用者は、両方のスイッチ２１，２２を押そうとするが、全く同一のタイミングで押されることは難しい。つまり、まず、先にいずれか一方のスイッチを押し、わずかな時間差でもう一方のスイッチが押す動作となる。そのため、制御回路は、先に押されたスイッチに対応したモードで動作を開始することになる。これに対して、両スイッチ２１，２２がオンされることにより、ＡＮＤゲート２５からは、第１タイマ回路２３，第２タイマ回路２４に、実行している動作の動作時間をクリアにする信号が発せられて、タイマ機能が停止する。そして、本実施形態では、直前のモードをリセットして連続モードに移行するようにしている。よって、直前のモードが残る等の誤動作を防止することができる。連続モードでは第１タイマ回路２３，第２タイマ回路２４が作動せず、いずれかのスイッチ２１，２２のオフによりモータ１３が停止するようにしている。
【００３８】
なお、本実施形態では、第１スイッチ２１、第２スイッチ２２、これら両者を、それぞれ長モード、短モード、連続モードに設定したが、これに限定されるものではなく、例えば、第２スイッチ２２を連続モードに第２タイマ回路２４を設定してもよく、そのモードも長、短、連続以外のモードでもよい。
【００３９】
ここで、スイッチ２１，２２のオンの際には、図９に示すように保護シート３６が第１の静電気除去用部材２８に接触される。よって、使用者からの静電気は抵抗の小さい第１の静電気除去用部材２８に流れるので、制御部１９が静電気により誤動作を起こすことを防止できる。
【００４０】
モータ１３の回転はワンウェイクラッチ１７と減速機構１４を介して送りローラ７に伝達される。送りローラ７には蓋部６の自重が与えられているので、その圧力でロール紙２を滑り無く回転させて搬送する。
【００４１】
ロール紙２が回転するときには、ホルダ体３や蓋部６のケーシングとロール紙２との間で摩擦が発生して静電気が帯電する。この静電気は第２の静電気除去用部材２９の接触部３３に流れる。よって、制御部１９が静電気により誤動作を起こすことを防止できる。
【００４２】
長モードまたは短モードで第１タイマ回路２３，第２タイマ回路２４が終了するか、あるいは連続モードでスイッチ２１，２２がオフされると、モータ１３が停止しロール紙２の供給が止まる。使用者は送り出されたロール紙２を持ってカッタ１８で切断する。このとき、蓋部６により十分な重量があるので、蓋部６を手で押さえなくてもロール紙２を切断することができる。
【００４３】
一方、電源１２が切れてしまったときや、万一の故障時、あるいは所定長さのロール紙２を送り出した後に少しだけ引き出したいときなどには、モータ１３が停止しているにもかかわらずロール紙２を手動で引き出すことがある。このようなモータ１３の停止時にロール紙２を下方に手で引っ張ると、送りローラ７が回転して減速機構１４が作動される。そして、ワンウェイクラッチ１７が空回りしてギア列からモータ１３が切り離されるので、モータ１３のディテントルクの影響を受けずにロール紙２を軽い力で引き出すことができる。よって、手動操作時の操作性を高めることができる。
【００４４】
本実施形態によれば、２つのスイッチ２１，２２のオンによりロール紙２を連続送り出しするようにしているので、送り出し長さを任意に微調整することができる。よって、操作性を高めることができる。また、２つのスイッチ２１，２２を使用しているだけなので、低コスト化および各スイッチを大型化して操作性を高めることができる。
【００４５】
また、ホルダ体３は現行の手動式紙巻機のものをそのまま利用しているので、ロール紙２の設置方法は従来と何ら変わらず、操作性を維持することができる。しかも、従来慣れ親しんだ手動式紙巻機と違和感の少ないデザインにすることができる。さらに、手動式紙巻機と比較しても蓋部分だけが大きくなるだけなので、シンプルなまとまったデザインにすることができる。このため、例えばトイレで使用する場合は狭い空間に対して違和感を小さくすることができる。
【００４６】
なお、上述の実施形態は本発明の好適な実施の一例ではあるがこれに限定されるものではなく、本発明の要旨を逸脱しない範囲において種々変形実施可能である。例えば本実施形態では静電気除去用部材２８，２９を線ばねとしているが、これには限られず金属片または除電用のブラシなどとしても良い。
【００４７】
また、本実施形態では第１の静電気除去用部材２８を各スイッチ２１，２２の各側部に配置しているが、これには限られず両スイッチ２１，２２を互いに近くに配置して、その間に第１の静電気除去用部材２８を１つのみ設けるようにしても良い。あるいは、第１の静電気除去用部材２８を保護シート３６の面に設けた金属箔や金属蒸着から成るようにしても良い。
【００４８】
さらに、本実施形態では各静電気除去用部材２８，２９ともにＧＮＤに直接落としているが、これには限られずコンデンサやコイル、抵抗などを介して接続するようにしても良い。また、本実施形態では各静電気除去用部材２８，２９ともに制御部１９の基板に直付けしているが、これには限られずリード線やフレキシブルプリント基板を介して接続するようにしても良い。
【００４９】
また、本実施形態ではワンウェイクラッチ１７をモータ１３から送りローラ７までのギア列の中で最もモータ１３側に設けているが、これには限られずギア列の中の他の箇所に設けても良い。例えば、送りローラ７側に設けると、モータ１３の駆動時にはワンウェイクラッチ１７に掛かる力が大きくなるが、手動操作時には回転させるギアが少なくなるのでロール紙２を小さい力で引き出すことができる。または、ワンウェイクラッチ１７は無くても良い。
【００５０】
さらに、本実施形態では減速機構１４としてギア列を使用しているが、これには限られずプーリとベルトなどの他の減速する機構を使用しても良い。
【００５１】
一方、本実施形態では２つのスイッチ２１，２２のオンによりロール紙を連続送り出しするようにしているが、これには限られず第１スイッチ２１または第２スイッチ２２のオン時とは異なる所定長さの送り出しを行うようにしても良い。
【００５２】
また、スイッチ２１，２２の形態は、プッシュスイッチなどの機械的なスイッチに限定されるものではなく、高価とはなるが、利便性、衛生の面で効果がある赤外線を用いた非接触式スイッチ、遮光センサなどを用いても良い。
【００５３】
また、本実施形態ではスイッチ２１，２２を２つとしているが、これには限られず３つ以上のスイッチを使用しても良い。この場合、いずれか２つ以上のスイッチのオンにより別の送り出し量になるようにする。
【００５４】
本実施形態においては、ロール紙２の使用により負荷量が変化したり、電源１２として電池を使用することにより電圧の低下が生じるが、駆動部８の制御回路２６を、駆動部８としてのモータ１３の回転を定速に保持するために、ロール紙２の送りに求める精度に応じてオン・オフのスイッチ回路のみ、またはスイッチ回路と定電圧回路、スイッチ回路と定電流回路、スイッチ回路と電子ガバナ回路等の組み合せでも良く、さらにはスイッチと他の制御手段とを組合せても良い。また、駆動部８の制御回路２６はスイッチ回路のみとして、駆動部８側に機械式ガバナを使用する等しても良い。
【００５５】
さらに、本実施形態では電源１２を蓋部６に収容しているが、これには限られず外部電源を使用しても良い。例えば外部電池ボックスやＡＣ電源を使用することができる。特にＡＣ電源を使用することにより、電池切れの心配を無くすことができる。また、制御部１９についても、蓋部６に収容することには限られず外部に設けても良い。例えば、便座の側部に制御部１９を設けて、スイッチ操作を便座横で行うようにしても良い。
【００５６】
さらに、本実施形態では蓋部６の自重のみでロール紙２に適度な圧力を掛けているが、市販の多くのローラ紙２、即ち、巻き締まり状態が異なるものに対応するためにパッド圧が不足している時には錘を設けたり、あるいはばね力を付勢するようにしても良い。そして、本実施形態ではゴム製のカッタ１８を設けているが、これには限られず金属製などの他の材質製としたり、あるいは無くても良い。
【００５７】
そして、本実施形態ではロール紙２としてトイレットペーパを使用しているが、これには限られずキッチンペーパなど各種ロール紙２に使用することができる。
【００５８】
【発明の効果】
以上の説明から明らかなように、請求項１記載のロール紙供給装置によれば、制御部の近傍に静電気除去用部材が設けられているので、制御部に与えられた静電気を除去して誤動作などを防止することができる。よって、耐静電気用のシールドが不要になると共に、制御部での耐静電気用の配慮が不要になる。このため、ロール紙供給装置の複雑化を最低限に抑えることができる。
【００５９】
また、請求項２記載のロール紙供給装置によれば、操作者からの静電気とロール紙からの静電気との両方の静電気からの悪影響を排除することができる。
【００６０】
さらに、請求項３記載のロール紙供給装置によれば、蓋部がより十分に重くなるので、ロール紙へのパッド圧を高めてロール紙の供給をより確実にすると共にロール紙とのスリップを少なくして静電気発生を軽減できる。
【００６１】
また、請求項４記載のロール紙供給装置によれば、モータの回転が減速機構を経てローラを回転させる。
【００６２】
そして、請求項５記載のロール紙供給装置によれば、カッタを利用してロール紙を容易に切断することができる。
【図面の簡単な説明】
【図１】本発明のロール紙供給装置を示す斜視図である。
【図２】ロール紙供給装置を示す側面図である。
【図３】蓋部を示す分解斜視図である。
【図４】蓋部の主要部を示す分解斜視図である。
【図５】制御部を示すブロック図である。
【図６】送りローラとロール紙との位置関係を示す側面図である。
【図７】スイッチのオンオフとモータの動作状態を示すチャート図である。
【図８】ワンウェイクラッチを示す正面図である。
【図９】スイッチと第１の静電気除去用部材とを示す正面図である。
【図１０】ロール紙と第２の静電気除去用部材とを示す側面図である。
【符号の説明】
１  ロール紙供給装置
２  ロール紙
３  ホルダ体
４  一端
５  他端
６  蓋部
７  送りローラ
８  駆動部
１２  電源
１３  モータ
１４  減速機構
１８  カッタ
１９  制御部
２８  第１の静電気除去用部材
２９  第２の静電気除去用部材
【図１】
2005006967.tif 000003
【図２】
2005006967.tif 000004
【図３】
2005006967.tif 000005
【図４】
2005006967.tif 000006
【図５】
2005006967.tif 000007
【図６】
2005006967.tif 000008
【図７】
2005006967.tif 000009
【図８】
2005006967.tif 000010
【図９】
2005006967.tif 000011
【図１０】
2005006967.tif 000012